(57)【要約】【課題】  電線が極細タイプであり、或いはヒンジ等の可動部に用いられる場合であってもコンタクトからの電線の抜け落ちを確実に防止することができる構成の電線圧接型コネクタを提供する。【解決手段】  ハウジング２０に圧接カバー３０を結合させる際、電線５０が圧接カバー３０に押圧されてコンタクト４０の圧接溝４５内に圧接される構成のプラグ型コネクタ１０において、電線５０が、圧接カバー３０側に設けられた電線保持溝（カバー側電線保持溝３５）とハウジング２０側に設けられた電線保持溝（ハウジング第１電線保持溝２５及びハウジング側第２電線保持溝２６）とにより強固に保持される。【選択図】        図８
2005332796.tif 000002
【特許請求の範囲】
【請求項１】
電気絶縁性材料からなるハウジングと、前記ハウジングに保持された導電性材料からなる複数のコンタクトと、前記ハウジングに結合された電気絶縁性材料からなる圧接カバーと、前記各コンタクトの端子部に形成された圧接溝内に圧接接続された電線とを有し、前記ハウジングに前記圧接カバーを結合させる際、前記電線が前記圧接カバーに押圧されて前記コンタクトの前記圧接溝内に圧接される構成の電線圧接型コネクタにおいて、
前記圧接カバーに設けられ、前記圧接溝内に圧接される前記電線が前記圧接カバーと前記ハウジングとの結合前に予め圧入されるカバー側電線保持溝と、
前記ハウジングに設けられ、前記圧接カバーと前記ハウジングとが結合されて前記電線が前記圧接溝内に圧接される際に、前記カバー側電線保持溝内に保持されていた前記電線が前記圧接カバーにより押圧されて圧入されるハウジング側電線保持溝とを備えたことを特徴とする電線圧接型コネクタ。
【請求項２】
電気絶縁性材料からなるハウジングと、前記ハウジングに保持された導電性材料からなる複数のコンタクトと、前記ハウジングに結合された電気絶縁性材料からなる圧接カバーと、前記各コンタクトの端子部に形成された圧接溝内に圧接接続された電線とを有し、前記ハウジングに前記圧接カバーを結合させる際、前記圧接溝上に予め載置された前記電線が前記圧接カバーに押圧されて前記コンタクトの前記圧接溝内に圧接される構成の電線圧接型コネクタにおいて、
前記ハウジングに設けられ、前記圧接カバーと前記ハウジングとが結合される際に、前記圧接溝状に載置されていた前記電線が前記圧接カバーにより押圧されて圧入されるハウジング側電線保持溝とを備えたことを特徴とする電線圧接型コネクタ。
【発明の詳細な説明】
【技術分野】
【０００１】
本発明は、各コンタクトの端子部に形成された圧接溝内に電線を圧接接続して構成される電線圧接型コネクタに関する。
【背景技術】
【０００２】
従来のコネクタにおいて電線をコンタクトに接続する方法としては、電線の芯線をコンタクトに半田付けするもののほか、コンタクトの端子部に形成された圧接溝内に電線を圧接して取り付けるものが知られている。ここで圧接とは、圧接溝内に電線を押し付けることにより、圧接溝の内縁において電線の絶縁被覆を切り裂き、これにより剥き出しになった芯線を圧接溝と接触させるものである。このような圧接では、電線とコンタクトとの接続工程が簡易であるため、製造コストを大きく引き下げることができるという利点がある。
【０００３】
その一方、上記電線圧接型コネクタにおける電線の固定保持は、圧接時に切り裂かれた絶縁被覆と圧接溝との接触部分でなされるため、近年のようにコネクタの小型化に伴って小径の電線が用いられる場合には、絶縁被覆が薄厚である故に電線の保持強度が低下してしまい、電線がコンタクトから外れ易くなる。このため圧接によりコンタクトに取り付けた小径の電線は、圧接溝とは別の部分において電線が固定される必要がある。例えば、下の特許文献に示すコネクタでは、圧接溝において接続された電線を保持する電線保持部を別途コンタクト上に有しており、電線の圧接による簡易な製造工程を実現しつつ、電線がコンタクトから抜け落ちる不具合を防止し得る構成となっている。
【特許文献１】実開平２−５７５６３号公報
【発明の開示】
【発明が解決しようとする課題】
【０００４】
しかしながら、上記構成のコネクタであっても、電線の直径が更に小さい極細の電線を用いる場合には絶縁被覆の厚みが小さいために電線の保持力が弱まり、電線がコンタクトから抜け落ちてしまうおそれがある。また、電線がヒンジ等の可動部において使用されるような場合には、その絶縁被覆に対磨耗性に優れたフッ素樹脂が用いられるが、このようなフッ素樹脂製の絶縁被覆は滑り易いため、やはりコンタクトから抜けてしまうおそれがある。また、上記構成ではコンタクト上に電線保持部を設けるために加工工数が増大し、コスト高になってしまう。更にはコンタクト同士の間隔の小さい狭ピッチのコネクタではコネクタサイズの制約から一つ一つのコンタクトに電線保持部を設けることが困難な場合もある。
【０００５】
本発明はこのような問題に鑑みてなされたものであり、電線が極細タイプであり、或いはヒンジ等の可動部に用いられる場合であってもコンタクトからの電線の抜け落ちを確実に防止することができる構成の電線圧接型コネクタを提供することを目的としている。
【課題を解決するための手段】
【０００６】
第１の本発明に係る電線圧接型コネクタは、電気絶縁性材料からなるハウジングと、ハウジングに保持された導電性材料からなる複数のコンタクトと、ハウジングに結合された電気絶縁性材料からなる圧接カバーと、各コンタクトの端子部に形成された圧接溝内に圧接接続された電線とを有し、ハウジングに圧接カバーを結合させる際、電線が圧接カバーに押圧されてコンタクトの圧接溝内に圧接される構成の電線圧接型コネクタ（例えば、実施形態におけるプラグ型コネクタ１０）において、圧接カバーに設けられ、圧接溝内に圧接される電線が圧接カバーとハウジングとの結合前に予め圧入されるカバー側電線保持溝と、ハウジングに設けられ、圧接カバーとハウジングとが結合されて電線が圧接溝内に圧接される際に、カバー側電線保持溝内に保持されていた電線が圧接カバーにより押圧されて圧入されるハウジング側電線保持溝（例えば、実施形態におけるハウジング側第１電線保持溝２５及びハウジング側第２電線保持溝２６）とを備える。
【０００７】
また、第２の本発明に係る電線圧接型コネクタは、電気絶縁性材料からなるハウジングと、ハウジングに保持された導電性材料からなる複数のコンタクトと、ハウジングに結合された電気絶縁性材料からなる圧接カバーと、各コンタクトの端子部に形成された圧接溝内に圧接接続された電線とを有し、ハウジングに圧接カバーを結合させる際、圧接溝上に予め載置された電線が圧接カバーに押圧されてコンタクトの圧接溝内に圧接される構成の電線圧接型コネクタ（例えば、実施形態におけるプラグ型コネクタ１０′）において、ハウジングに設けられ、圧接カバーとハウジングとが結合される際に、圧接溝上に載置されていた電線が圧接カバーにより押圧されて圧入されるハウジング側電線保持溝（例えば、実施形態におけるハウジング側第１電線保持溝２５）とを備える。
【発明の効果】
【０００８】
第１の本発明に係る電線圧接型コネクタでは、コンタクトの端子部に形成された圧接溝内に圧接接続された電線は、圧接カバー側に設けられた電線保持溝（カバー側電線保持溝）とハウジング側に設けられた電線保持溝（ハウジング側電線保持溝）とにより、また第２の本発明に係る電線圧接型コネクタでは、ハウジング側に設けられた電線保持溝（ハウジング側電線保持溝）により、強固に保持されるようになっている。このため電線が極細タイプであり、或いはヒンジ等の可動部に用いられる場合であっても、コンタクトからの電線の抜け落ちを確実に防止することができる。また、電線を保持する電線保持溝（カバー側電線保持溝及びハウジング側電線保持溝）が加工成形の難しいコンタクトではなく、比較的成形のし易い圧接カバー及びハウジングに設けられているので、コンタクト同士の間隔が狭く、コンタクトに電線の保持部を形成しにくい場合において特に有利である。更にはコンタクトの成形を簡単化できる分、製造コストを安価にすることも可能である。
【０００９】
また、第１の本発明に係る電線圧接型コネクタは、圧接カバーとハウジングとを結合させる前に予め電線をカバー側電線保持溝内に圧入しておき、圧接カバーとハウジングとを結合させる際に、圧接カバーにより電線を押圧してハウジング側電線保持溝内に圧入させる工程を採るので、電線を圧接溝に圧接させる工程の前に電線を圧接カバー上に整列させることができ、圧接時における電線の位置ずれを防止することが可能である。一方、第２の本発明に係る電線圧接型コネクタにおいては、圧接カバーとハウジングとを結合させる前に予め電線を圧接溝上に載置しておき、圧接カバーとハウジングとを結合させる際に、圧接カバーにより電線を押圧してハウジング側電線保持溝内に圧入させる工程を採るので、一回の押し込み工程（圧接カバーをハウジングに押し込む工程）で全ての圧入を完了させることができる。このため製造工程を第１の本発明の場合よりも簡易にすることができ、製造コストをより安価にすることが可能である。
【発明を実施するための最良の形態】
【００１０】
以下、図面を参照して本発明の好ましい実施形態について説明する。図１〜図８は本発明の第１実施形態に係る電線圧接型コネクタとして構成されたプラグ型コネクタ１０であり、ハウジング２０と、このハウジング２０に保持された複数のコンタクト４０と、ハウジング２０に結合された圧接カバー３０と、各コンタクト４０に接続された複数の電線５０とを有して構成される。本実施形態では説明の便宜上、図中に示すように前後、左右及び上下方向を定義する。
【００１１】
ハウジング２０は樹脂等の電気絶縁性材料からなり、左右方向に延びた基部２１と、この基部２１の左右側端部を上下方向に貫通するように形成された圧接カバー保持空間２２（図９参照）と、基部２１の前面から前方に突出して延びて設けられたプラグ部２３とを有しており、プラグ部２３には複数個（本実施形態では１０個）のコンタクト４０がそれぞれ前後方向に延び、かつ左右方向に平行に整列された状態で設けられている。
【００１２】
コンタクト４０は金属等の導電性材料からなり、図７〜図１０に示すようにプラグ部２３の上面側に露出して位置する接触部４１と、この接触部４１の前方（プラグ部２３の先端側）端部から下方に屈曲して延び、プラグ部２３を上下方向に貫通して延びたコンタクト取り付け溝２４内に位置する屈曲部４２と、接触部４１の後方（プラグ部２３が延びる側とは反対の側）端部から下方斜めに屈曲した後水平に延びた中間部４３と、この中間部４３の後端から上方に延びて設けられた端子部４４とを有している。端子部４４には上方に開口する形状の圧接溝４５が設けられている。ここで、ハウジング２０がモールド成形により形成される場合には、各コンタクト４０はハウジング２０のモールド成形時にその成形金型（図示せず）内に挿入され、ハウジング２０のモールド成形と同時にハウジング２０に取り付けられる構成（インサートモールド成形）であることが好ましい。
【００１３】
各コンタクト４０の圧接溝４５には電線５０が一本ずつ圧接取り付けされており、その一方側の端部はハウジング１０内に位置し、他方側の端部はハウジング１０の後方に延びている。なお、本実施形態ではコンタクト４０の数が１０個であるため、電線５０の数は１０本となっている。電線５０は導電性材料からなる芯線５１及びこの芯線５１の外周を覆って設けられた電気絶縁性材料からなる絶縁被覆５２からなる。コンタクト４０の圧接溝４５の幅は芯線５１の直径よりも若干小さく、電線５０の延びる方向をコンタクト４０の延びる方向（前後方向）に一致させたうえで電線５０をコンタクト４０の上方から押圧すると（図１１（Ａ）参照）、絶縁被覆５２が圧接溝４５により切り裂かれ、これにより剥き出しになった芯線５１が圧接溝４５の内縁と接触する（図１１（Ｂ）参照）。このような電線５０の圧接により電線５０とコンタクト４０とは電気的に接続される。
【００１４】
また、ハウジング２０における圧接溝４５の後方位置にはハウジング側第１電線保持溝２５が上方に開口して設けられており、このハウジング側第１電線保持溝２５の更に後方位置にはハウジング側第２電線保持溝２６が同じく上方に開口して設けられている。これらハウジング側第１電線保持溝２５及びハウジング側第２電線保持溝２６は、圧接溝４５内に圧接された電線５０をコンタクト４０の後方において固定保持するために設けられている。図１２は１０本の電線５０がコンタクト４０の圧接溝４５に圧接されるとともに、ハウジング２０に設けられたハウジング側第１保持溝２５及びハウジング側第２保持溝２６に保持された状態を示している（圧接カバー３０は示さず）。
【００１５】
圧接カバー３０は樹脂等の電気絶縁性材料からなり、図１３及び図１４に示すように、左右方向に延びた基部３１と、この基部３１の左右両端部から下方に延びて設けられた側部３２とを有している。左右の側部３２各々には前方に突出して延びた係止突起３３が設けられており（図１４参照）、圧接カバー３０がハウジング２０の上方から取り付けられたときには、これら左右の係止突起３３がハウジング２０に（圧接カバー保持空間２２を形成する壁面上に）設けられた窪み（図３参照）２２ａ内に嵌入してハウジング２０と圧接カバー３０とが結合（仮結合）されるようになっている。図１５はハウジング２０と圧接カバー３０とが結合された状態を示している（電線５０は示さず）。
【００１６】
圧接カバー３０の基部３１の下面側には、図１３及び図１４に示すように、下方に突出して延びた電線保持突起３４が左右方向に並んで設けられており、隣接する電線保持突起３４同士の間には下方に開口したカバー側電線保持溝３５が前後方向に延びるとともに左右方向に並んだ状態に形成されている。隣接する電線保持突起３４同士の間隔、すなわちカバー側電線保持溝３５の幅は電線５０の直径（絶縁被覆５２を含んだ直径）よりも若干小さい寸法を有しており、コンタクト４０の圧接溝４５内に圧接される前の電線５０をこのカバー側電線保持溝３５内に圧入すると、電線５０の外径はカバー側電線保持溝３５により幅方向（カバー側電線保持溝３５の幅方向）に圧縮された状態で固定保持される。また、基部３１の下面側であってカバー側電線保持溝３５の後方の位置には、下方に突出する形状の押圧突起３６が形成されており、カバー側電線保持溝３５に電線５０が圧入された状態では、電線５０はこの押圧突起３６の直下に位置するようになっている（図１６及び図１７参照）。
【００１７】
本プラグ型コネクタ１を製造する（組み立てる）には、先ず、上記のように１０本の電線５０を全て圧接カバー３０のカバー側電線保持溝３５内に圧入取り付けする。すなわち、圧接溝４５内に圧接される電線５０を、圧接カバー３０とハウジング２０との結合前に予めカバー側電線保持溝３５内に圧入しておく。これにより１０本の電線５０は圧入カバー３０の基部３１の下面側において整列状態に保持された状態となる（図１６及び図１７参照）。そして、このように１０本の電線５０が圧接カバー３０上に整列保持されたら、圧入カバー３０をハウジング２０の直上に位置させて、圧入カバー３０の左右の側部３２がハウジング２０の左右の圧接カバー保持空間２２内に上方から入り込むようにし、圧入カバー３０の左右側部３２に設けられた係止突起３３をハウジング２０の左右側部に設けられた窪み２２ａ内に嵌入させる。これにより圧入カバー３０はハウジング２０に仮結合された状態となるが、この状態から圧入カバー３０をハウジング２０の上方から押し込むと（図１８（Ａ）参照）、図３及び図４に示すように、圧接カバー３０に設けられた複数の電線保持突起３４のうち左右両端部に位置するもの（符号を３４ａ，３４ａとする）がハウジング２０の中央部に形成された圧接カバー収容窪み２７の左右側壁２７ａ，２７ａの間に入り込み、圧接カバー３０とハウジング２０とは結合される（図１８（Ｂ）参照）。そして、この圧入カバー３０とハウジング２０との結合時、圧接カバー３０により保持されていた各電線５０は、カバー側電線保持溝３５と押圧突起３６との間において、ハウジング２０に保持されたコンタクト４０の圧接溝４５に上方から押し付けられるので、圧接溝４５によりその絶縁被覆５２が切り裂かれて圧接される。
【００１８】
なお、この圧接カバー３０とハウジング２０とが結合されるとき、圧接カバー３０の基部３１下面に設けられた押圧突起３６は、電線５０をハウジング側第１電線保持溝２５内に上方から押し込む（押圧する）ので、電線５０はハウジング側第１電線保持溝２５内に圧入される。このため電線５０は、圧接カバー３０とハウジング２０とが結合された状態において、圧接カバー３０に設けられたカバー側電線保持溝３５と、ハウジング２０における圧接溝４５を挟んでカバー側電線保持溝３５と対向する位置に設けられたハウジング側第１電線保持溝２５とにより保持される。
【００１９】
また、電線５０は圧接カバー３０とハウジング２０との結合時には図示しない治具により保持されて適度なテンションがかけられており、圧接カバー３０とハウジング２０とが結合される際には、ハウジング側第１電線保持溝２５において保持された部分よりも更に後方の部分がハウジング側第２保持溝２６内に圧入されるようになっている。このハウジング側第２保持溝２６はハウジング側第１保持溝２５と異なり、圧接カバー３０と上下方向において対向していない（上方に圧接カバー３０が位置していない）ので、自身において電線５０が溝２６から脱落すること（上方への移動）を防止する必要があり、このため溝２６の内縁には、電線５０の圧入により電線５０の絶縁被覆５２が食い込む凹凸部２６ａが設けられている。ハウジング側第２保持溝２６内に圧入された電線５０は、図６に示すように溝２６の内縁に形成された凹凸部２６ａの形状に従うように変形し、溝２６からの脱落、すなわち上方への移動が規制される。
【００２０】
このように本プラグ型コネクタ１０では、ハウジング２０に圧接カバー２０を結合させる際、電線５０が圧接カバー３０に押圧されてコンタクト４０の端子部４４に形成された圧接溝４５内に圧接される構成を有するのであるが、電線５０は、圧接カバー３０側に設けられた１つの電線保持溝（カバー側電線保持溝３５）とハウジング２０側に設けられた２つの電線保持溝（ハウジング側第１電線保持溝２５及びハウジング側第２電線保持溝２６）とにより強固に保持されるようになっている。このため電線５０が極細タイプであり、或いはヒンジ等の可動部に用いられる場合であっても、コンタクト４０からの電線５０の抜け落ちを確実に防止することができる。また、電線５０を保持する電線保持溝（カバー側電線保持溝３５、ハウジング側第１電線保持溝２５及びハウジング側第２電線保持溝２６）が加工成形の難しいコンタクト４０ではなく、比較的成形のし易い圧接カバー３０及びハウジング２０に設けられているので、コンタクト４０同士の間隔が狭く（狭ピッチであり）、コンタクト４０に電線５０の保持部を形成しにくい場合において特に有利である。更には、コンタクト４０の成形を簡単化できる分、製造コストを安価にすることも可能である。
【００２１】
また、本プラグ型コネクタ１０は、圧接カバー３０とハウジング２０とを結合させる前に予め電線５０をカバー側電線保持溝３５内に圧入しておき、圧接カバー３０とハウジング２０とを結合させる際に、圧接カバー３０により（具体的には押圧突起３６により）電線５０を押圧してハウジング２０側の電線保持溝（ハウジング側第１電線保持溝２５及びハウジング側第２電線保持溝２６）内に圧入させる工程を採るので、電線５０を圧接溝４５に圧接させる工程の前に電線５０を圧接カバー３０上に整列させることができ、圧接時における電線５０の位置ずれを防止することが可能である。
【００２２】
また、本プラグ型コネクタ１０においては、カバー側電線保持溝３５とハウジング側第１電線保持溝２５とがコンタクト４０の圧接溝４５を挟んで対向して位置しているので、電線５０の圧接時には圧接溝４５の両側において電線５０を均等に下方へ押圧することができ、電線５０の圧接を容易かつ確実に行うことができるのみならず、圧接後においては圧接溝４５の両側において電線５０を保持できるので、電線５０の保持強度をより一層強くすることが可能になっている。
【００２３】
また、本プラグ型コネクタ１０においては、ハウジング側第２電線保持溝２６の内縁に電線５０の絶縁被覆５２が食い込む凹凸部２６ａが設けられているため、ここに保持された電線５０の絶縁被覆５２は凹凸部２６ａの形状に応じて変形するのであるが、この変形はハウジング側第１電線保持溝２５において保持される絶縁被覆５２とハウジング側第２電線保持溝２６において保持される絶縁被覆５２との間に形状のねじれを生じさせるので、電線５０の長手方向の移動（抜け）が規制され、電線５０の固定保持はより強固なものなる。
【００２４】
次に、図１９を用いて本発明の第２実施形態について説明する。第２実施形態に係る電線圧接型コネクタの一実施形態であるプラグ型コネクタ１０′、は前述のプラグ型コネクタ１０と完成品としての外観形状はほぼ同じであるが、圧接カバー３０に設けられたカバー側電線保持溝３５が第１実施形態のように各電線５０を圧入する機能を有するのではなく、単に各電線５０の端部を整列状態に整える機能を有するのみであるため、その溝幅は第１実施形態の場合よりも広く、電線５０の外径よりもやや大きいものとなっている。よってこのプラグ型コネクタ１０′の説明では、カバー側電線保持溝の符号を３５′とするとともに、他の構成要素の符号については前述のプラグ型コネクタ１０の説明において用いたものをそのまま用いることにする。
【００２５】
このプラグ型コネクタ１０′では、圧接カバー３０とハウジング２０とを結合させる前に、１０本の電線５０を全て並列状態で圧接溝４５上に載置させておく。この際、電線５０はプラグ型コネクタ１０′とは別部材として用意される治具１００により並列状態に保持される（図１９（Ａ）参照）。このようにして電線５０が圧接溝４５上に載置されたら、圧接カバー３０をハウジング２０に上方から取り付ける。この際、圧入カバー３０の左右の側部３２がハウジング２０の左右の圧接カバー保持空間２２内に上方から入り込むようにし、圧入カバー３０の左右側部３２に設けられた係止突起３３をハウジング２０の左右側部に設けられた窪み２２ａ内に嵌入させる。これにより圧入カバー３０はハウジング２０に仮結合された状態となる（図１９（Ｂ）参照）。圧入カバー３０のハウジング２０に対する仮結合が終わったら、圧入カバー３０をハウジング２０の上方から押し込む。これにより第１実施形態の場合と同様、圧接カバー３０に設けられた複数の電線保持突起３４のうち左右両端部に位置するもの（符号３４ａ，３４ａ）がハウジング２０の中央部に形成された圧接カバー収容窪み２７の左右側壁２７ａ，２７ａの間に内に入り込んで（図３及び図４参照）圧接カバー３０とハウジング２０とは結合され、各電線５０は圧接溝４５によりその絶縁被覆５２が切り裂かれて圧接される。そしてこの際、各電線５０は圧接カバー３０により（具体的には押圧突起３６により）押圧されてハウジング２０に設けられた２つのハウジング側電線保持溝（ハウジング側第１電線保持溝２５及びハウジング側第２電線保持溝２６）内に圧入される（図１９（Ｃ）参照）。また、各電線５０は対応するカバー側電線保持溝３５′内に入り込んでその端部が整列される。
【００２６】
本プラグ型コネクタ１０′は前述のプラグ型コネクタ１０と完成品としてはほぼ同じ構造であるのでこのプラグ型コネクタ１０と同様の効果を有するが、本プラグ型コネクタ１０′では、圧接カバー３０とハウジング２０とを結合させる前に予め電線５０を圧接溝４５上に載置しておき、圧接カバー３０とハウジング２０とを結合させる際に、圧接カバー３０により電線５０を押圧してハウジング側電線保持溝（ハウジング側第１電線保持溝２５及びハウジング側第２電線保持溝２６）内に圧入させる工程を採るので、一回の押し込み工程（圧接カバー３０をハウジング２０に押し込む工程）で全ての圧入を完了させることができる。このため製造工程を前述のプラグ型コネクタ１０の場合よりも簡易にすることができ、製造コストをより安価にすることが可能である。なお、本第２実施形態に係るプラグ型コネクタ１０′では、第１実施形態に係るプラグ型コネクタ１０′のように、カバー側電線保持溝３５′においては圧入保持されない。
【００２７】
これまで本発明の好ましい実施形態について説明してきたが、本発明の範囲は上述の実施形態に示したものに限定されない。例えば、上述の実施形態においてはコンタクト４０が１０個であり、これに対応する電線５０の数も１０本であったが、これらコンタクト４０及び電線５０の数は特に限定されず、任意である。また、上述の実施形態では、圧接カバー３０側に設けられた電線保持溝の数は１つ（カバー側電線保持溝３５或いはカバー側電線保持溝３５′）であり、ハウジング２０側に設けられた電線保持溝の数は２つ（ハウジング側第１電線保持溝２５及びハウジング側第２電線保持溝２６）であったが、圧接カバー３０側の電線保持溝及びハウジング２０側の電線保持溝の数はそれぞれ幾つであっても構わない。また、上述の実施形態においては、本発明に係る電線圧接型コネクタの適用対象がプラグ型コネクタであったが、同様にしてレセプタクル型コネクタに対しても適用することが可能である。
【図面の簡単な説明】
【００２８】
【図１】第１の本発明に係る電線圧接型コネクタの一実施形態として構成されたプラグ型コネクタの斜視図である。
【図２】（Ａ）は上記プラグ型コネクタの平面図、（Ｂ）は正面図、（Ｃ）は背面図、（Ｄ）は側面図である。
【図３】図２（Ｂ）における矢視III−IIIから見た上記プラグ型コネクタの断面図である。
【図４】図２（Ａ）における矢視IV−IVから見た上記プラグ型コネクタの断面図である。
【図５】図２（Ａ）における矢視V−Vから見た上記プラグ型コネクタの断面図である。
【図６】図２（Ａ）における矢視VI−VIから見た上記プラグ型コネクタの断面図である。
【図７】図２（Ａ）における矢視VII−VIIから見た上記プラグ型コネクタの断面図である。
【図８】図２（Ａ）における矢視VII−VIIから見た上記プラグ型コネクタの斜視図である。
【図９】コンタクトが取り付けられた状態のハウジングの斜視図である。
【図１０】コンタクト単体をこれに圧接される電線とともに示す斜視図である。
【図１１】コンタクトの圧接溝に電線を圧接させる工程を説明する、図１０における矢視ＸＩから見た図である。（Ａ）は圧接溝に電線を圧接させる前の状態、（Ｂ）は圧接溝に電線を圧接させた状態をそれぞれ示している。
【図１２】１０本の電線がコンタクトの圧接溝に圧接されるとともに、ハウジングに設けられた２つの電線保持溝に保持された状態を示す斜視図である。
【図１３】圧接カバー単体を下方斜めから見た斜視図である。
【図１４】圧接カバー単体を上下反対にした状態で見た斜視図である。
【図１５】ハウジングと圧接カバーとが結合された状態を示す斜視図である。
【図１６】カバー側電線保持溝に電線を圧入させた状態の圧接カバーを下方斜めから見た斜視図である。
【図１７】カバー側電線保持溝に電線を圧入させた状態の圧接カバーを上下反対にして見た斜視図である。
【図１８】上記プラグ型コネクタの組み立て工程を（Ａ）→（Ｂ）の順で示す図である。
【図１９】第２の本発明に係る電線圧接型コネクタの一実施形態として構成されたプラグ型コネクタの組み立て工程を（Ａ）→（Ｂ）→（Ｃ）の順で示す図である。
【符号の説明】
【００２９】
１０    プラグ型コネクタ（電線圧接型コネクタ）
２０    ハウジング
２３    プラグ部
２５    ハウジング側第１電線保持溝（ハウジング側電線保持溝）
２６    ハウジング側第２電線保持溝（ハウジング側電線保持溝）
２６ａ  凹凸部
３０    圧接カバー
３５    カバー側電線保持溝
３６    押圧突起
４０    コンタクト
４１    接触部
４４    端子部
４５    圧接溝
５０    電線
５１    芯線
５２    絶縁被覆
【図１】
2005332796.tif 000003
【図２】
2005332796.tif 000004
【図３】
2005332796.tif 000005
【図４】
2005332796.tif 000006
【図５】
2005332796.tif 000007
【図６】
2005332796.tif 000008
【図７】
2005332796.tif 000009
【図８】
2005332796.tif 000010
【図９】
2005332796.tif 000011
【図１０】
2005332796.tif 000012
【図１１】
2005332796.tif 000013
【図１２】
2005332796.tif 000014
【図１３】
2005332796.tif 000015
【図１４】
2005332796.tif 000016
【図１５】
2005332796.tif 000017
【図１６】
2005332796.tif 000018
【図１７】
2005332796.tif 000019
【図１８】
2005332796.tif 000020
【図１９】
2005332796.tif 000021